Podtech/llm-jp-corpus-v4-ja_patent huggingface dataset:
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
コンピューティング・デバイスにより、文字列を受信する受信ステップであって、前記の受信した文字列は、前記コンピューティング・デバイスのユーザと１以上のパーティとの間の会話に関連する、受信ステップと、
前記コンピューティング・デバイスにより、前記会話の前記１以上のパーティのうちの１つのパーティに関連するコンタクトに基づいて、前記の受信した文字列に関するコンテキストを判定する判定ステップであって、前記コンテキストは、前記ユーザが前記コンタクトと以前にインタラクトしたときに前記ユーザにより入力された複数の文字列のみを含む、判定ステップと、
前記コンピューティング・デバイスにより、前記の受信した文字列及び前記の判定したコンテキストの前記複数の文字列に基づいて、複数の文字列予測を生成する生成ステップであって、各文字列予測は文字列を含む、生成ステップと、
前記コンピューティング・デバイスにより、前記複数の文字列予測の前記文字列のうち１以上の文字列を提供するステップと、
を含む、方法。
【請求項２】
前記コンピューティング・デバイスにより、前記複数の文字列予測の前記の提供した１以上の文字列のうちの１つの文字列の選択のインジケーションを受信するステップと、
前記選択のインジケーションに応答して、前記コンピューティング・デバイスにより、前記の選択された１つの文字列をアプリケーションに提供するステップと、
をさらに含む、請求項１記載の方法。
【請求項３】
前記会話の前記１以上のパーティのうちの１つのパーティに関連する前記コンタクトに基づいて、前記の受信した文字列に関する前記コンテキストを判定することは、前記アプリケーションに基づいて、前記コンテキストを判定することをさらに含む、請求項２記載の方法。
【請求項４】
前記の受信した文字列は文字である、請求項１記載の方法。
【請求項５】
前記会話の話題を判定するステップをさらに含み、前記会話の前記１以上のパーティのうちの１つのパーティに関連する前記コンタクトに基づいて、前記の受信した文字列に関する前記コンテキストを判定することは、前記の判定した話題に基づいて、前記の受信した文字列に関する前記コンテキストを判定することをさらに含む、請求項１記載の方法。
【請求項６】
前記会話のスタイルを判定するステップをさらに含み、前記会話の前記１以上のパーティのうちの１つのパーティに関連する前記コンタクトに基づいて、前記の受信した文字列に関する前記コンテキストを判定することは、前記の判定したスタイルに基づいて、前記の受信した文字列に関する前記コンテキストを判定することをさらに含む、請求項１記載の方法。
【請求項７】
前記の受信した文字列に関連する時間又は日付を判定するステップをさらに含み、前記会話の前記１以上のパーティのうちの１つのパーティに関連する前記コンタクトに基づいて、前記の受信した文字列に関する前記コンテキストを判定することは、前記の受信した文字列に関連する前記時間又は前記日付に基づいて、前記の受信した文字列に関する前記コンテキストを判定することをさらに含む、請求項１記載の方法。
【請求項８】
コンピューティング・デバイスにより、文字列を受信する受信ステップであって、前記の受信した文字列は、前記コンピューティング・デバイスのユーザと１以上のパーティとの間の会話に関連する、受信ステップと、
前記コンピューティング・デバイスにより、前記会話の前記１以上のパーティのうちの１つのパーティに関連するコンタクトに基づいて、前記の受信した文字列に関するコンテキストを判定する判定ステップであって、前記コンテキストは、前記ユーザが前記コンタクトと以前にインタラクトしたときに前記ユーザにより入力された複数の文字列のみを含む、判定ステップと、
前記コンピューティング・デバイスにより、基準が前記の受信した文字列により満たされるかどうかを判定するステップと、
前記基準が前記の受信した文字列により満たされる場合、前記コンピューティング・デバイスにより、前記の受信した文字列を、前記コンテキストの前記複数の文字列に追加するステップと、
を含む、方法。
【請求項９】
少なくとも１つのコンピューティング・デバイスと、
文字列を受信することであって、前記の受信した文字列は、前記少なくとも１つのコンピューティング・デバイスのユーザと１以上のパーティとの間の会話に関連する、受信することと、
前記１以上のパーティのうちの１つのパーティに関連するコンタクトに基づいて、前記の受信した文字列に関するコンテキストを判定することであって、前記コンテキストは、前記ユーザが前記コンタクトと以前にインタラクトしたときに前記ユーザにより入力された複数の文字列のみを含む、判定することと、
前記の受信した文字列及び前記の判定したコンテキストの前記複数の文字列に基づいて、複数の文字列予測を生成することであって、各文字列予測は文字列を含む、生成することと、
前記複数の文字列予測の前記文字列のうち１以上の文字列を提供することと、
を行うよう適合されている候補予測生成部と、
を備えた、システム。
【請求項１０】
前記候補予測生成部は、
前記複数の文字列予測の前記の提供した１以上の文字列のうちの１つの文字列の選択のインジケーションを受信することと、
前記選択のインジケーションに応答して、前記の選択された１つの文字列をアプリケーションに提供することと、
をさらに行うよう適合されている、請求項９記載のシステム。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
ユーザーデバイスからオンラインデーターサービスに対するアクセス要求を受信するステップと、
ユーザーへの提示のために前記ユーザーデバイスに証明チャレンジを送信するステップと、
前記ユーザーデバイスから、変換アプレットにより前記ユーザーデバイスにおいて前記ユーザーからの生体認証入力から抽出された生体認証メタデーター記述を有する証明応答を受信するステップであって、前記生体認証メタデーター記述は前記生体認証入力のレベル、トーン、スピードのうち少なくとも１つを記述する、ステップと、
前記生体認証入力の生体認証メタデーター記述を、ユーザーアカウントにより複数のセッションからの入力を集計するユーザーアカウントプロフィールのユーザーモデルと比較するステップと、
を含む、機械実装方法。
【請求項２】
前記ユーザーデバイスによるインストールのために前記変換アプレットを送信するステップ
をさらに含む、請求項１に記載の方法。
【請求項３】
前記生体認証入力を証明チャレンジ正解と比較するステップ
をさらに含む、請求項１に記載の方法。
【請求項４】
オーディオ入力を基にする応答表現を受信するステップ
をさらに含む、請求項１に記載の方法。
【請求項５】
前記オーディオ入力が音声シンセサイザーからのものかを決定するステップ
をさらに含む、請求項４に記載の方法。
【請求項６】
前記オーディオ入力のフラットネス態様を測定するステップ
をさらに含む、請求項４に記載の方法。
【請求項７】
複数回の検証を通じてサービスリソースへのアクセスを抑制するステップ
をさらに含む、請求項１に記載の方法。
【請求項８】
単一のユーザーアカウントに対する異なるユーザーを識別するステップ
をさらに含む、請求項４に記載の方法。
【請求項９】
頻繁なユーザーに属するとボイスプリントを識別するステップ
をさらに含む、請求項４に記載の方法。
【請求項１０】
ユーザーが評判がよいネットワークアドレスにいるかを決定するステップ
をさらに含む、請求項４に記載の方法。
【請求項１１】
前記証明応答に対する応答時間を追跡するステップ
をさらに含む、請求項１に記載の方法。
【請求項１２】
前記生体認証入力を基にしてユーザーアカウントへのアクセスを許可するステップ
をさらに含む、請求項１に記載の方法。
【請求項１３】
テキストセグメントを証明チャレンジとして送信するステップ
をさらに含む、請求項１に記載の方法。
【請求項１４】
オーディオワードを証明チャレンジとして送信するステップ
をさらに含む、請求項１に記載の方法。
【請求項１５】
方法を詳述する命令のセットであって、１つまたは複数のプロセッサーにより実行されるときに、前記１つまたは複数のプロセッサーに前記方法を遂行させる、命令のセットが記憶されたコンピューター可読記憶媒体であって、前記方法が、
人間対話証明ポータルに、オンラインデーターサービスに対するアクセス要求を送信するステップと、
ユーザーへの提示のために前記人間対話証明ポータルから証明チャレンジを受信するステップと、
前記証明チャレンジに応答して前記ユーザーからオーディオ入力を受信するステップと、
前記人間対話証明ポータルに送信されるべき、前記オーディオ入力を基にして変換アプレットによりユーザーデバイスにおいて生成された生体認証メタデーター記述を作成するステップと、
前記生体認証メタデーター記述が変換アプレットから生じたことを示すために変換アプレットにより前記生体認証メタデーター記述に署名するステップと
を含む、コンピューター可読記憶媒体。
【請求項１６】
請求項１５に記載のコンピューター可読記憶媒体であって、前記方法が
オーディオワードを証明チャレンジとしてユーザーに提示するステップ
をさらに含む、コンピューター可読記憶媒体。
【請求項１７】
請求項１５に記載のコンピューター可読記憶媒体であって、前記方法が
テキストセグメントを証明チャレンジとしてユーザに提示するステップ
をさらに含む、コンピューター可読記憶媒体。
【請求項１８】
請求項１５に記載のコンピューター可読記憶媒体であって、前記方法が
オーディオ入力を基にして応答表現を生成するステップ
をさらに含む、コンピューター可読記憶媒体。
【請求項１９】
ユーザーデバイスからオンラインデーターサービスに対するアクセス要求を受信するよう構成された通信インターフェイスと、
ユーザーへの提示のために証明チャレンジを生成し、および、オンラインデーターサービスへのアクセスを許可するかを決定するために生体認証入力メタデーター記述を検査するよう構成されたプロセッサーと
を備え、前記生体認証入力メタデーター記述が変換アプレットから生じることを示すよう、前記生体認証入力メタデーター記述はユーザーデバイスにおいて変換アプレットにより生成され署名される、
人間対話証明ポータル。
【請求項２０】
前記生体認証入力メタデーター記述が音声シンセサイザーを記述するかを前記プロセッサーが決定する、請求項１９に記載の人間対話証明ポータル。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
臨床医からの臨床クエリーに応えて、放射線医からの入力に基づいてレポートを作成するためのシステムであり、
前記放射線医が医療情報を提供することを可能にするためのレポート入力部と、
前記医療情報を有するレポートを作成するためのレポート出力部と、
前記臨床クエリーを示すデータを受信するためのインタフェースと、
ｉ）前記臨床クエリーを解析して前記レポートの少なくとも一部の形式及び内容を決定し、ｉｉ）前記レポート出力部が前記レポートを作成するのに使用するための少なくとも１つのビルディングブロックを表すデータパッケージに前記形式及び内容を符号化するための推論エンジンとを有し、
前記レポート入力部は、前記ビルディングブロックに基づいて、前記医療情報を提供するのに放射線医が使用するためのカスタマイズされたレポートインタフェースを表すグラフィカルユーザーインタフェースを確立するために配されている、システム。
【請求項２】
前記インタフェースは、放射線要求のデータ表現を受信するために配されている、及び
前記推論エンジンは、前記放射線要求のデータ表現に基づいて、前記臨床クエリーを特定するために配されている、
請求項１に記載のシステム。
【請求項３】
前記ビルディングブロックは、ハンギングプロトコルを指定する、及び
前記レポート入力部は、前記ハンギングプロトコルに従って、１つ以上の医用画像を前記グラフィカルユーザーインタフェースの一部として表示するために配されている、
請求項１に記載のシステム。
【請求項４】
前記レポート出力部は、前記ハンギングプロトコルに基づいて、前記レポートに前記１つ以上の医用画像を含めるために配されている、
請求項１に記載のシステム。
【請求項５】
前記ハンギングプロトコルは、前記１つ以上の医用画像の表示順、表示レイアウト、複数の表示にわたる配布、表示サイズ、ウィンドウ幅パラメタ、ウィンドウレベルパラメタ、パンパラメタ、ズームパラメタの少なくとも１つを定める、請求項３に記載のシステム。
【請求項６】
前記ビルディングブロックは、前記医療情報を提供するのに使用するためのレポートツールを示す、及び
前記レポート入力部は、前記レポートツールを前記グラフィカルユーザーインタフェースの一部として確立するために配されている、
請求項１に記載のシステム。
【請求項７】
前記レポートツールは、前記放射線医が画像測定を行うことを可能にするための画像測定ツールである、請求項６に記載のシステム。
【請求項８】
前記レポート入力部は、
−一般的画像測定ツールをカスタマイズすること、
−複数の画像測定ツールから画像測定ツールを自動的に選択すること、及び
−前記放射線医が前記画像測定ツールを手動で選択するために、前記臨床クエリーの関連度に基づいて複数の画像測定ツールをランク付けすること
の少なくとも１つにより、前記画像測定ツールを確立するために配されている、
請求項７に記載のシステム。
【請求項９】
前記ビルディングブロックは、臨床的耐性を示す、及び
前記レポート入力部は、前記臨床的耐性に基づいて前記画像測定ツールを構成するために配されている、
請求項７に記載のシステム。
【請求項１０】
前記レポートツールは、前記放射線医により提供される部分的な医学用語を自動補完するために、複数の医学用語を供給する自動補完ツールである、請求項６に記載のシステム。
【請求項１１】
前記自動補完ツールは、前記臨床クエリーの関連度に基づいて前記複数の医学用語をランク付けするために配されている、請求項１０に記載のシステム。
【請求項１２】
前記レポート入力部は、前記放射線医が放射線ワークフローにわたり医療情報を提供することを可能にするために配されている、並びに
前記推論エンジンは、前記放射線ワークフローにおける要求及び/又は結果に基づいて、前記放射線ワークフローの間、前記ビルディングブロックを更新するために配されている
請求項１に記載のシステム。
【請求項１３】
前記ビルディングブロックは、放射線要求、撮像要求及び/又は１つ以上の医用画像の少なくとも１つに基づいて更新される、請求項１２に記載のシステム。
【請求項１４】
臨床医からの臨床クエリーに応えて、放射線医からの入力に基づいてレポートを作成するための方法であり、
−前記放射線医が医療情報を提供することを可能にするステップと、
−前記医療情報を有するレポートを作成するステップと、
−前記臨床クエリーを示すデータを受信するステップと、
−前記臨床クエリーを解析して前記レポートの少なくとも一部の形式及び内容を決定するステップと、
−前記レポートの作成に使用するために少なくとも１つのビルディングブロックを表すデータパッケージに前記形式及び内容を符号化するステップと、
−前記ビルディングブロックに基づいて、前記医療情報を提供するのに放射線医が使用するためのカスタマイズされたレポートインタフェースを表すグラフィカルユーザーインタフェースを確立するステップとを有する方法。
【請求項１５】
プロセッサに請求項１４に記載の方法を実行させるための命令を有するコンピュータプログラムプロダクト。
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
慣性センサー測定値からの寄与およびビジョンベースの測定値からの寄与を使用して、カメラとターゲットとの間の相対的ポーズを追跡するステップであって、前記慣性センサー測定値からの前記寄与は重み付けされた寄与であり、かつ、前記ビジョンベースの測定値からの前記寄与は重み付けされた寄与である、ステップと、
前記ターゲットの動きを検出するステップと、
前記ターゲットの動きが検出されると、前記カメラと前記ターゲットとの間の前記相対的ポーズを追跡するために、前記慣性センサー測定値からの前記重み付けされた寄与を低減するステップであって、前記重み付けは、前記ターゲットの動き検出における信頼性に基づいて変化する、ステップと
を含む方法。
【請求項２】
前記慣性センサー測定値からの前記寄与を低減するステップが、前記慣性センサー測定値からの前記寄与を除去するステップを含み、前記ターゲットの前記動きが検出されると、前記カメラと前記ターゲットとの間の前記相対的ポーズが、ビジョンベースの測定値のみを使用して追跡される、請求項1に記載の方法。
【請求項３】
前記ターゲットの動きを検出するステップが、
前記ターゲットに対する前記カメラのビジョンベースのポーズの少なくとも一部を決定するステップと、
前記カメラの慣性ベースのポーズの少なくとも一部の変化を慣性センサー測定値に基づいて決定するステップと、
前記ビジョンベースのポーズの前記少なくとも前記一部、および、前記慣性ベースのポーズの前記少なくとも前記一部の前記変化を使用して、前記ターゲットの動きを検出するステップと
を含む、請求項1に記載の方法。
【請求項４】
前記ビジョンベースのポーズの前記少なくとも前記一部が、ビジョンベースの姿勢を含み、
前記慣性ベースのポーズの前記少なくとも前記一部の前記変化が、慣性ベースの姿勢の変化を含み、
前記ビジョンベースのポーズの前記少なくとも前記一部、および、前記慣性ベースのポーズの前記少なくとも前記一部の前記変化を使用するステップが、前記ビジョンベースの姿勢、および、前記慣性ベースの姿勢の前記変化を使用して、前記ターゲットの前記動きを検出するステップを含む
請求項3に記載の方法。
【請求項５】
前記ビジョンベースのポーズの前記少なくとも前記一部の変化を決定するステップ
をさらに含み、
前記ビジョンベースのポーズの前記少なくとも前記一部、および、前記慣性ベースのポーズの前記少なくとも前記一部の前記変化を使用するステップが、
前記慣性ベースのポーズの前記少なくとも前記一部の前記変化と、前記ビジョンベースのポーズの前記少なくとも前記一部の前記変化との間の差を決定するステップと、
前記差をしきい値と比較して、前記ターゲットが移動したと決定するステップと
を含む、請求項3に記載の方法。
【請求項６】
慣性ベースのポーズの少なくとも一部の前記変化を使用して、前記慣性ベースのポーズの前記少なくとも一部を決定するステップ
をさらに含み、
前記ビジョンベースのポーズの前記少なくとも前記一部、および、前記慣性ベースのポーズの前記少なくとも前記一部の前記変化を使用するステップが、
前記ビジョンベースのポーズの前記少なくとも前記一部と、前記慣性ベースのポーズの前記少なくとも前記一部との間の差を決定するステップと、
前記差をしきい値と比較して、前記ターゲットが移動したと決定するステップと
を含む、請求項3に記載の方法。
【請求項７】
前記ターゲットの前記動きを検出する前に前記カメラが静止していると決定するステップをさらに含む請求項1に記載の方法。
【請求項８】
前記ターゲットの動きを検出するステップが、前記慣性センサー測定値に基づく特徴ベクトルの投影を使用するステップを含む、請求項1に記載の方法。
【請求項９】
キャプチャされた画像から特徴を抽出するステップと、
前記慣性センサー測定値に基づいて特徴ベクトルの前記投影を予測するステップと、
特徴ベクトルの前記投影を、キャプチャされた画像から抽出された抽出特徴ベクトルと比較して、差を決定するステップと、
前記差をしきい値と比較して、前記ターゲットが移動したと決定するステップと
をさらに含む、請求項8に記載の方法。
【請求項１０】
慣性センサー測定値からの寄与およびビジョンベースの測定値からの寄与を使用して、カメラとターゲットとの間の相対的ポーズを追跡するための手段であって、前記慣性センサー測定値からの前記寄与は重み付けされた寄与であり、かつ、前記ビジョンベースの測定値からの前記寄与は重み付けされた寄与である、手段と、
前記ターゲットの動きを検出するための手段と、
前記ターゲットの動きが検出されると、前記カメラと前記ターゲットとの間の前記相対的ポーズを追跡するために、前記慣性センサー測定値からの前記重み付けされた寄与を低減するための手段であって、前記重み付けは、前記ターゲットの動き検出における信頼性に基づいて変化する、手段と
を含むモバイルデバイス。
【請求項１１】
前記慣性センサー測定値からの前記寄与を低減するための前記手段が、前記慣性センサー測定値からの前記寄与を除去する、請求項10に記載のモバイルデバイス。
【請求項１２】
前記ターゲットの動きを検出するための前記手段が、
前記ターゲットに対する前記カメラのビジョンベースのポーズの少なくとも一部を決定するための手段と、
前記カメラの慣性ベースのポーズの少なくとも一部の変化を慣性センサー測定値に基づいて決定するための手段と、
前記ビジョンベースのポーズの前記少なくとも前記一部、および、前記慣性ベースのポーズの前記少なくとも前記一部の前記変化を使用して、前記ターゲットの動きを検出するための手段と
を含む、請求項10に記載のモバイルデバイス。
【請求項１３】
前記ターゲットの前記動きを検出する前に前記カメラが静止していると決定するための手段をさらに含む請求項10に記載のモバイルデバイス。
【請求項１４】
前記ターゲットの動きを検出するための前記手段が、前記慣性センサー測定値に基づいて特徴ベクトルの投影を使用するための手段を含む、請求項10に記載のモバイルデバイス。
【請求項１５】
請求項1乃至9のいずれか1項に記載の方法を実行するためのプログラムコードを記憶した非一時的コンピュータ可読記録媒体。
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
通信プロトコルのノード発見フェーズ中に、第１のノードから第２のノードへ情報を通信する方法であって、前記第２のノードにおいて方法が、
前記ノード発見フェーズ中に、前記第１のノードによって送信されるデバイス名を検出するステップと、
前記第１のノードにおけるイベントの発生及び／又は前記第１のノードからの情報を、前記ノード発見フェーズ中に検出された前記第１のノードのデバイス名から決定するステップとを有する、方法。
【請求項２】
前記第１のノードにおけるイベントの発生及び／又は前記第１のノードからの情報を、前記第１のノードの検出されたデバイス名から決定するステップが、前記第１のノードにおけるイベントの発生及び／又は前記第１のノードからの情報を、前記デバイス名の検出から決定するステップを有する、請求項１に記載の方法。
【請求項３】
前記第１のノードにおけるイベントの発生及び／又は前記第１のノードからの情報を、前記デバイス名の検出から決定するステップが、前記検出されたデバイス名を前記第２のノードのメモリに記憶された一つ以上のデバイス名と比較するステップを有し、記憶されたデバイス名の各々はそれと関連する各自のイベント及び／又は前記第１のノードからの情報を持つ、請求項２に記載の方法。
【請求項４】
前記第１のノードにおけるイベントの発生及び／又は前記第１のノードからの情報を、前記第１のノードの検出されたデバイス名から決定するステップが、前記イベントの発生に関する情報及び／又は前記第１のノードからの情報を、前記検出されたデバイス名の一部若しくは全部から抽出するように前記検出されたデバイス名を処理するステップを有する、請求項１に記載の方法。
【請求項５】
前記第１のノードにおけるイベントの発生及び／又は前記第１のノードからの情報を、前記第１のノードの検出されたデバイス名から決定するステップが、前記検出されたデバイス名が前記第１のノードに対応する所定文字列を有するかどうかを決定するように前記検出されたデバイス名を処理し、もしそうである場合、前記イベントの発生に関する情報及び／又は前記第１のノードからの情報を抽出するように前記検出されたデバイス名の残りの部分を処理するステップを有する、請求項４に記載の方法。
【請求項６】
前記第１のノードにおいて前記方法が、
前記第１のノードから前記第２のノードへ情報が通信されるとき、前記第１のノードが前記第１のノードのデバイス名を送信することによって前記第２のノードからのクエリに応答し得るよう、前記第１のノードにおける通信モジュールをアクティブにするステップをさらに有する、請求項１乃至５のいずれか一項に記載の方法。
【請求項７】
前記第１のノードにおいて前記方法が、
前記第１のノードのデバイス名を送信した後に前記第１のノードにおける通信モジュールを非アクティブにするステップをさらに有する、請求項６に記載の方法。
【請求項８】
前記第１のノードにおいて前記方法が、
前記第１のノードのデバイス名を、通信される前記情報を前記デバイス名において含むように、若しくは通信される前記情報と関連する前記第１のノードの可能なデバイス名の所定セットにおけるデバイス名に対応するように、修正する若しくは適応させるステップをさらに有し、
前記第１のノードのデバイス名を送信するステップが、前記修正された若しくは適応されたデバイス名を送信するステップを有する、
請求項６又は７に記載の方法。
【請求項９】
通信プロトコルのノード発見フェーズ中に、第１のノードから第２のノードへ情報を通信する方法であって、前記第１のノードにおいて前記方法が、
前記第１のノードのデバイス名を、前記第１のノードにおけるイベントの発生の表示及び／又は前記第１のノードからの情報を含むように適応させる若しくは修正するステップと、
前記適応された若しくは修正された前記第１のノードのデバイス名を前記ノード発見フェーズ中に送信するステップとを有する、方法。
【請求項１０】
電子デバイスであって、
通信プロトコルのノード発見フェーズ中に、別の電子デバイスからデバイス名を受信するように構成される通信モジュールと、
前記別の電子デバイスにおけるイベントの発生及び／又は前記別の電子デバイスからの情報を、前記ノード発見フェーズ中に検出された前記別の電子デバイスのデバイス名から決定するように構成される制御ユニットとを有する、電子デバイス。
【請求項１１】
電子デバイスであって、
通信プロトコルのノード発見フェーズ中に、前記電子デバイスのデバイス名を送信するように構成される通信モジュールを有し、
前記電子デバイスが、前記電子デバイスのデバイス名を、前記電子デバイスにおけるイベントの発生の表示及び／又は前記電子デバイスからの他の情報を含むように、前記ノード発見フェーズ中の前記通信モジュールによる送信の前に適応させる若しくは修正するように構成される、電子デバイス。
【請求項１２】
通信プロトコルのノード発見フェーズ中に、別の電子デバイスへデバイス名を送信するように構成される通信モジュールを有する第１の電子デバイスと、
請求項１０に記載の電子デバイスである、第２の電子デバイスとを有する、通信システム。
【請求項１３】
前記第１の電子デバイスが請求項１１に記載の電子デバイスである、請求項１２に記載の通信システム。
【請求項１４】
その中に具体化されるコンピュータ可読コードを有するコンピュータプログラム製品であって、前記コンピュータ可読コードは、それと関連する通信モジュールを持つコンピュータ若しくはプロセッサによる実行時に、前記コンピュータ若しくはプロセッサが請求項１乃至９のいずれか一項に記載の方法を実行するように構成されるように、構成される、コンピュータプログラム製品。
【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
ＲＦＩＤアンテナアレイ、ＲＦＩＤタグリーダ、及び電源装置からなる構成要素の組み合わせを備えて人物に着用又は携行されるシステムであって、
前記構成要素は、前記電源装置が前記タグリーダに電力を供給し、前記タグリーダが前記アンテナアレイにエネルギを供給し、前記人物の手と腕が前記構成要素によって邪魔されない状態で前記人物が或る領域を通過する際に前記アンテナアレイを介してＲＦＩＤタグからの信号を受信する、動作をなすように相互に接続されており、
前記アンテナアレイは、蛇行する導体のツインフィードユニットと、前記蛇行する導体に対し概して直角方向に延伸された複数のダイポール放射器と、前記ダイポール放射器から少なくとも（３／４）インチ離隔した反射材と、からなり、
前記アンテナアレイが前記人物の前面の床面から頭上までの近傍領域に向かって同時に放射するように配置されている、ことを特徴とするシステム。
【請求項２】
前記アンテナアレイが二つの独立したツインフィードアンテナを含むことを特徴とする請求項１に記載のシステム。
【請求項３】
前記ツインフィードアンテナが前記人物の胴体の左右に一つずつ配置されていることを特徴とする請求項２に記載のシステム。
【請求項４】
前記アンテナアレイはその長手方向に沿って分布されるダイポール放射器を持つツインフィードユニットであり、前記ダイポール放射器は前記人物の頭上を越えて放射できるよう、前記人物の肩の上又は肩の後ろに配置されることを特徴とする請求項３に記載のシステム。
【請求項５】
前記ツインフィードアンテナが、細長く且つ柔軟な誘電性シートに搭載された蛇行する導体を有し、前記シートは前記人物の左右の肩を各々覆うように配置されることを特徴とする請求項４に記載のシステム。
【請求項６】
前記アンテナは各々、細長い布製の詰め物をした袋（ｐｏｕｃｈ）に収納されることを特徴とする請求項５に記載のシステム。
【請求項７】
或る空間を移動できる人物の胴体に搭載されたＲＦＩＤアンテナアレイを用いて前記空間内に配置されたＲＦＩＤタグを読み取る方法であって、
前記アンテナアレイは、蛇行する導体と、前記蛇行する導体に対し概して直角に配置された延伸された複数のダイポール放射器と、前記ダイポール放射器から少なくとも（３／４）インチ離隔した反射材と、からなり、
前記アンテナアレイが床面から頭上まで近距離領域をスキャンし、ＲＦＩＤタグのデータを前記人物が携行するＲＦＩＤリーダに送信する間に、前記人物の手と腕が前記アンテナのアレイを支持する以外の業務を遂行できるような状態で、前記アンテナアレイが前記人物の胴体に配置されている、ことを特徴とするＲＦＩＤタグ読み取り方法。
【請求項８】
前記アンテナアレイは二つの細長く且つ柔軟な複数の放射器アンテナから成り、前記アンテナは前記人物の各々対応する肩に掛けられることを特徴とする請求項７に記載のＲＦＩＤタグ読み取り方法。
【請求項９】
各アンテナの放射サイトは前記人物の対応する肩の上か又は肩の後ろに配置されることを特徴とする請求項８に記載のＲＦＩＤタグ読み取り方法。
【請求項１０】
各アンテナは柔軟な誘電性シートに搭載されたツインフィードラインによって形成され、前記誘電性シートは前記人物が着用するベストから着脱可能に取り付けられていることを特徴とする請求項９に記載のＲＦＩＤタグ読み取り方法。
【請求項１１】
前記アンテナは各々細長い布製の詰め物をした袋に収納され、袋はベスト内部に着脱可能に取り付けられていることを特徴とする請求項１０に記載のＲＦＩＤタグ読み取り方法。
【請求項１２】
ＲＦＩＤタグは前記ＲＦＩＤタグを用いるシステムが使用されている構内の既知の位置に永久的に置かれることを特徴とする請求項７に記載のＲＦＩＤタグ読み取り方法。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
歯が白くなる組成物の製造における発色団および酸化剤が含まれる組成物の使用であって、前記組成物は化学線に曝されると歯を白くするように構成されている、使用。
【請求項２】
酸化剤は、過酸化水素、過酸化カルバミド、およびそれらの組合せから選ばれる、請求項１に記載の使用。
【請求項３】
酸化剤は過酸化水素である、請求項１に記載の使用。
【請求項４】
過酸化水素含有量は前記組成物の6重量％以下である、請求項３に記載の使用。
【請求項５】
酸化剤は過酸化カルバミドである、請求項１に記載の使用。
【請求項６】
過酸化カルバミド含有量は前記組成物の22重量％以下である、請求項５に記載の使用。
【請求項７】
酸化剤の合計含有量は前記組成物の約6重量％の過酸化水素含有量に対応する、請求項１に記載の使用。
【請求項８】
発色団は、エオシンY、フルオレセイン、ローズベンガル、エリスロシンおよびそれらの任意の組合せから選ばれる、請求項１に記載の使用。
【請求項９】
エオシンYは前記組成物の重量で0.001％から1％の量で存在する、請求項８に記載の使用。
【請求項１０】
フルオレセインは前記組成物の重量で0.001％から1％の量で存在する、請求項８に記載の使用。
【請求項１１】
ローズベンガルは前記組成物の重量で0.001％から1％の量で存在する、請求項８に記載の使用。
【請求項１２】
エリスロシンは前記組成物の重量で0.001％から1％の量で存在する、請求項８に記載の使用。
【請求項１３】
前記組成物には、さらに、安定化剤、増粘剤、親水性ゲル化剤、塩基、またはそれらの任意の組合せが含まれる、請求項１に記載の使用。
【請求項１４】
増粘剤は1μm未満の粒径を有する二酸化ケイ素および/またはヒュームドシリカである、請求項１３に記載の使用。
【請求項１５】
親水性ゲル化剤には、ポリプロピレングリコール、ポリエチレングリコール、プロピレングリコール、グリセロール、または高分子量ポリオール、またはそれらの任意の組合せが含まれる、請求項１３に記載の使用。
【請求項１６】
塩基は水酸化カリウムである、請求項１３に記載の使用。
【請求項１７】
前記組成物のpHは2および10の間である、請求項１に記載の使用。
【請求項１８】
前記組成物のpHは4および8の間、6および7の間、および6.5から選ばれる、請求項１に記載の使用。
【請求項１９】
前記組成物は、化学線に約1-30秒間曝されると歯を白くするように構成されている、請求項１に記載の使用。
【請求項２０】
前記組成物は、化学線に約3-10秒間曝されると歯を白くするように構成されている、請求項１に記載の使用。
【請求項２１】
前記組成物は、化学線に約5-10秒間曝されると歯を白くするように構成されている、請求項１に記載の使用。
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
負に帯電したポリスチレンミクロスフェア、水、および増粘剤を含む、創傷を治療するための医薬組成物であって、前記増粘剤が、ポリスチレンミクロスフェアとほぼ同様の比重である１．０２〜１．０７の範囲の比重を持つ溶液を形成する、医薬組成物。 
【請求項２】
前記増粘剤が、親水性合成ポリマー、糖、グリセロール、プロピレングリコール（ＰＰＧ）、その誘導体、およびそれらの組み合わせからなる群から選択される、請求項１記載の医薬組成物。
【請求項３】
前記親水性合成ポリマーが、ポリエチレングリコール（ＰＥＧ）である、請求項２記載の医薬組成物。
【請求項４】
前記糖またはその誘導体が、スクロース、グルコース、ソルビトール、およびマンニトールからなる群から選択される、請求項２記載の医薬組成物。
【請求項５】
前記増粘剤が、グリセロールである、請求項２記載の医薬組成物。
【請求項６】
前記増粘剤の濃度が、前記組成物の約１重量％〜約５０重量％である、請求項１記載の医薬組成物。
【請求項７】
前記ポリスチレンミクロスフェアが、約０．０２μｍ〜約２０μｍの範囲の直径をもつ、請求項１記載の医薬組成物。
【請求項８】
前記ポリスチレンミクロスフェアが、前記組成物の約０．００１重量％〜約１０重量％を構成する、請求項１記載の医薬組成物。
【請求項９】
前記ポリスチレンミクロスフェアが、治療期間中は生分解性でない、請求項１記載の医薬組成物。
【請求項１０】
前記組成物が、約４．５〜約７．５のｐＨを有する、請求項１記載の医薬組成物。
【請求項１１】
請求項１記載の医薬組成物を、創傷の治療を必要とする被検者に投与することを含む、創傷を治療するための方法。
【請求項１２】
前記創傷が、治癒困難な熱傷、外傷、および慢性創傷から選択される、請求項１１記載の方法。
【請求項１３】
前記慢性創傷が、糖尿病性潰瘍、圧迫潰瘍、動脈性潰瘍、静脈性潰瘍、深刻な創傷、外傷後および外科手術による創傷からなる群から選択される、請求項１２記載の方法。
【請求項１４】
前記増粘剤が、１．０４〜１．０６の範囲の比重を持つ溶液を形成する、請求項１記載の医薬組成物。
【請求項１５】
前記増粘剤が、約１．０５の比重を持つ溶液を形成する、請求項１４記載の医薬組成物。
【請求項１６】
前記増粘剤が、グリセロールである、請求項１記載の医薬組成物。
【請求項１７】
前記組成物の約２０重量％〜約２５重量％存在するグリセロールが、約１．０５の比重を持つ溶液を形成する、請求項１６記載の医薬組成物。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
ヒルから全唾液抽出物を生成する方法であって、
摂食刺激剤をヒルに与えること；
ヒルにおいて吐き戻しを誘導すること、ここで誘導することは、ヒルを約０℃未満の温度を有する環境に置くことを含む；
冷やされたヒルの吐き戻し中の精製されていない全唾液を収集すること；
精製されていない全唾液から固体構成成分を除去して、精製された全唾液を生成すること；および
別々の容積の精製された全唾液抽出物を凍結乾燥すること、ここで容積は各約２ｍｌを超えない
を含む、前記方法。
【請求項２】
ヒルがHirudinaria manillensisである、請求項１に記載の方法。
【請求項３】
請求項１または２に記載の抽出物および薬学的に許容し得るキャリアを含む、医薬処方物。
【請求項４】
請求項３に記載の医薬処方物の、対象における固形腫瘍を処置するための医薬の製造における使用。
【請求項５】
請求項３に記載の医薬処方物の、対象における液状腫瘍を処置するための医薬の製造における使用。
【請求項６】
請求項３に記載の医薬処方物の、対象における糖尿病を処置するための医薬の製造における使用。
【請求項７】
請求項３に記載の医薬処方物の、対象におけるウイルス性疾患を処置するための医薬の製造における使用。
【請求項８】
請求項３に記載の医薬処方物の、対象における寄生虫症を処置するための医薬の製造における使用。
【請求項９】
請求項３に記載の医薬処方物の、対象における抗酸化治療を施すための医薬の製造における使用。
【請求項１０】
請求項３に記載の医薬処方物の、対象における抗菌性疾患を処置するための医薬の製造における使用。
【請求項１１】
固形腫瘍が、肺癌である、請求項４に記載の使用。
【請求項１２】
固形腫瘍が、前立腺癌、卵巣癌または乳癌である、請求項４に記載の使用。
【請求項１３】
固形腫瘍が、膵癌である、請求項４に記載の使用。
【請求項１４】
液状腫瘍が、白血病である、請求項５に記載の使用。
【請求項１５】
液状腫瘍が、リンパ腫である、請求項５に記載の使用。
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
下記を含む、サトウキビから誘導された抽出物を製造する方法：
ｉ）サトウキビ由来生成物をエタノールと混合して、少なくとも７０％〜８５％ｖ／ｖのエタノールを含む抽出混合物を製造すること；
ｉｉ）前記抽出混合物中に沈殿物を形成させること；
ｉｉｉ）前記沈殿物を前記抽出混合物から除去して、上澄み液を得ること；及び
ｉｖ）前記上澄み液からエタノールを除去して、サトウキビから誘導された抽出物を製造すること。
【請求項２】
前記抽出混合物が７０％のエタノールを含む、請求項１に記載の方法。
【請求項３】
前記抽出物から水を除去して、抽出物のブリックス（Ｂｘ）値を高めることをさらに含む、請求項１又は２に記載の方法。
【請求項４】
前記抽出物が＞６０°Ｂｘのブリックス値を有する、請求項３に記載の方法。
【請求項５】
前記抽出物が６５°Ｂｘのブリックス値を有する、請求項３に記載の方法。
【請求項６】
前記サトウキビ由来生成物が、モラセス、バガス、第一圧搾液、ミルマッド、清澄化された糖液、清澄化されたシロップ、トリクル、ゴールデンシロップ、畑屑、サトウキビから剥がされた葉、及び／又はダンダーから選択される、請求項１〜５の何れか一項に記載の方法。
【請求項７】
前記サトウキビ由来生成物が、モラセス、及びダンダーから選択される、請求項６に記載の方法。
【請求項８】
前記上澄み液を、イオン交換クロマトグラフィー、疎水性相互作用クロマトグラフィー、液体ＬＣＭＳ、及び／又はＭＡＬＤＩ−ＴＯＦに付して、抽出物を製造することをさらに含む、請求項の１〜７のいずれか一項に記載の方法。
【請求項９】
前記上澄み液を、疎水性相互作用クロマトグラフィーに付して、抽出物を製造すること
を含む、請求項８に記載の方法。
【請求項１０】
前記疎水性相互作用クロマトグラフィーがＸＡＤ又はＦＰＸ６６樹脂を含む、請求項９に記載の方法。
【請求項１１】
前記ｉ）の前に、前記サトウキビ由来生成物が、水と混合される、及び／又は、加熱される、請求項１〜１０の何れか一項に記載の方法。
【請求項１２】
請求項１〜１１のいずれか一項に記載の方法により製造された抽出物。
【請求項１３】
少なくとも２５ｍｇ／ｍｌのフラボノイド、及び／又は少なくとも２５ｍｇ／ｍｌのポリフェノールを含む、請求項１２に記載の抽出物。
【請求項１４】
トリシン、アピゲニン、ルテオリン、コーヒー酸、ヒドロキシケイ皮酸、シナピン酸、及びこれらの誘導体の１つ以上を含む、請求項１２又は１３に記載の抽出物。
【請求項１５】
ヒドロキシケイ皮酸及びその誘導体の１つ以上を含む、請求項１４に記載の抽出物。
【請求項１６】
線維を含む、請求項１２〜１５のいずれか一項に記載の抽出物。
【請求項１７】
粉末である、請求項１２〜１６のいずれか一項に記載の抽出物。
【請求項１８】
液体又はシロップである、請求項１２〜１６のいずれか一項に記載の抽出物。
【請求項１９】
α−グルコシダーゼ阻害活性及び／又はα−アミラーゼ阻害活性を有する、請求項１２〜１８のいずれか一項に記載の抽出物。
【請求項２０】
抗炎症活性を有する、請求項１２〜１８のいずれか一項記載の抽出物。
【請求項２１】
カロリー値低下性を有する、請求項１２〜１８のいずれか一項に記載の抽出物。
【請求項２２】
グリセミック指数（ＧＩ）低下性を有する、請求項１２〜１８のいずれか一項に記載の抽出物。
【請求項２３】
請求項１２〜２２のいずれか一項に記載の抽出物を含む組成物。
【請求項２４】
線維を含む、請求項２３に記載の組成物。
【請求項２５】
栄養補助剤、栄養補助食品、スポーツ栄養製品、食品コーティング、又は医薬組成物である、請求項２３または２４に記載の組成物。
【請求項２６】
請求項１２〜２２のいずれか一項に記載の抽出物又は請求項２３〜２５のいずれか一項に記載の組成物を含む食品又は飲料。
【請求項２７】
食品又は飲料の利用可能カロリー値を低下させる方法であって、請求項１２〜２２のいずれか一項に記載の抽出物及び／又は請求項２３〜２５のいずれか一項に記載の組成物を食品又は飲料に加えることを含む方法。
【請求項２８】
食品又は飲料のＧＩを低下させる方法であって、請求項１２〜２２のいずれか一項に記載の抽出物を食品又は飲料に加えること及び／又は請求項２３〜２５のいずれか一項に記
載の組成物を食品又は飲料に加えることを含む方法。
【請求項２９】
疾病の治療又は予防に使用するための、請求項１２〜２２のいずれか一項に記載の抽出物、請求項２３〜２５のいずれか一項に記載の組成物、及び／又は請求項２６に記載の食品若しくは飲料。
【請求項３０】
請求項１２〜２２のいずれか一項に記載の抽出物、及び／又は請求項２３〜２５のいずれか一項に記載の組成物を含む、疾病の治療又は予防のための医薬。
【請求項３１】
疾病の治療又は予防のための、請求項２６に記載の食品若しくは飲料。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
以下の構造
【化１】
2015528447.tif 000001
（式中、Ｘは、
【化２】
2015528447.tif 000002
からなる群から選択され；
Ｙは、−ＮＨ−、−Ｏ−、−Ｓ−、および何もなしからなる群から選択され；
Ｒは、
【化３】
2015528447.tif 000003
からなる群から選択され、環Ａは、Ｃ４〜８脂肪族環であり、環Ｂは、アリールまたは含窒素ヘテロアリールであり、該環Ｂは置換基を有していてもよく；
Ｒ１は、
【化４】
2015528447.tif 000004
からなる群から選択され、Ｚは、Ｏ、Ｓ、またはＮＨであり、ｎは、０、１、または２であり、環Ｂは、アリールまたは含窒素ヘテロアリールであり、該環
【化５】
2015528447.tif 000005
は置換基を有していてもよい）
を有する化合物、または薬学的に許容されるその塩、水和物、溶媒和物もしくはプロドラッグ。
【請求項２】
前記環Ｂが、フェニル、ナフチル、ピリジニル、ピリダジニル、ピラジニルまたはピリミジニルである請求項１に記載の化合物。
【請求項３】
Ｒが、
【化６】
2015528447.tif 000006
または−（ＣＨ２）２〜４−Ｃ６Ｈ５
である（式中、ｐは０〜４であり、ｑは０〜２である）請求項１に記載の化合物。
【請求項４】
Ｒが、
【化７】
2015528447.tif 000007
である請求項３に記載の化合物。
【請求項５】
Ｒ１が、
【化８】
2015528447.tif 000008
である（式中、ｎは０または１である）請求項１に記載の化合物。
【請求項６】
Ｒ１が、
【化９】
2015528447.tif 000009
である請求項５に記載の化合物。
【請求項７】
Ｘが、
【化１０】
2015528447.tif 000010
であり、Ｙが−ＮＨ−である請求項１に記載の化合物。
【請求項８】
ＸがＳＯ２であり、Ｙが存在しない請求項１に記載の化合物。
【請求項９】
Ｘが、
【化１１】
2015528447.tif 000011
であり、Ｙが存在しない請求項１に記載の化合物。
【請求項１０】
Ｘが、
【化１２】
2015528447.tif 000012
であり、Ｙが−ＮＨ−である請求項１に記載の化合物。
【請求項１１】
ＸおよびＸ’が、
【化１３】
2015528447.tif 000013
であり、Ｙが−Ｏ−である請求項１に記載の化合物。
【請求項１２】
【化１４】
2015528447.tif 000014
2015528447.tif 000015
からなる群から選択される請求項１に記載の化合物。
【請求項１３】
【化１５】
2015528447.tif 000016
からなる群から選択される化合物。
【請求項１４】
請求項１に記載の化合物と、薬学的に許容される担体またはビヒクルとを含む医薬組成物。
【請求項１５】
組成物であって、
（ａ）請求項１に記載の化合物、
（ｂ）ＩＡＰタンパク質の阻害によって利益が得られる疾患または病態の治療に有用な第２の治療薬、ならびに
（ｃ）任意の賦形剤および／または薬学的に許容される担体
を含む組成物。
【請求項１６】
前記第２の治療薬が、がんの治療に有用な化学療法薬を含む請求項１５に記載の組成物。
【請求項１７】
ＩＡＰタンパク質の阻害によって利益が得られる疾患または病態を治療する方法であって、該疾患または病態の治療を必要とする個体に治療有効量の請求項１に記載の化合物を投与することを含む方法。
【請求項１８】
前記疾患または病態の治療に有用な第２の治療薬を治療有効量で投与することをさらに含む請求項１７に記載の方法。
【請求項１９】
請求項１に記載の化合物と前記第２の治療薬とを同時に投与する請求項１８に記載の方法。
【請求項２０】
請求項１に記載の化合物と前記第２の治療薬とを別々に投与する請求項１８に記載の方法。
【請求項２１】
前記疾患または病態が、がんである請求項１７に記載の方法。
【請求項２２】
前記疾患が、がんであり、前記第２の治療薬が化学療法薬および放射線の１以上である請求項１８に記載の方法。
【請求項２３】
前記疾患が、がんであり、前記第２の治療薬が、段落［００９８］および［０１１７］〜［０１２３］に開示された薬物から選択される請求項１８に記載の方法。
【請求項２４】
前記第２の治療薬が放射線を含み、該放射線を必要に応じて放射線増感剤および／または本明細書の段落［０１１４］〜［０１１６］に開示された治療薬とともに投与する請求項１８に記載の方法。
【請求項２５】
前記がんが、本明細書の段落［００９５］および［００９６］に開示されたがんから選択される請求項２１に記載の方法。
【請求項２６】
請求項１に記載の化合物と前記第２の治療薬とを単一の組成物として投与する請求項１８に記載の方法。
【請求項２７】
請求項１に記載の化合物と前記第２の治療薬とを別々の組成物として投与する請求項１８に記載の方法。
【請求項２８】
前記第２の治療薬を投与する前に、請求項１に記載の化合物を投与する請求項１８に記載の方法。
【請求項２９】
前記第２の治療薬を投与した後に、請求項１に記載の化合物を投与する請求項１８に記載の方法。
【請求項３０】
前記疾患または病態が、Ｔ細胞またはＢ細胞媒介性自己免疫疾患；炎症性疾患；感染症；過剰増殖性疾患；ＡＩＤＳ；変性病態；血管疾患；およびそれらに類するものからなる群から選択される請求項１７に記載の方法。
【請求項３１】
前記疾患または病態が、自己免疫性溶血性貧血、自己免疫性肝炎、ベルジェ病すなわちＩｇＡ腎症、セリアック病、慢性疲労症候群、クローン病、皮膚筋炎、線維筋痛症、移植片対宿主病、グレーブス病、橋本甲状腺炎、特発性血小板減少性紫斑病、扁平苔癬、多発性硬化症、重症筋無力症、乾癬、リウマチ熱、リウマチ性関節炎、強皮症、シェーグレン症候群、全身性エリテマトーデス、１型糖尿病、潰瘍性大腸炎、白斑およびそれらに類するものからなる群から選択される請求項３０に記載の方法。
【請求項３２】
前記疾患または病態の治療に有用な第２の治療薬を治療有効量で投与することをさらに含む請求項３０に記載の方法。